(57)【特許請求の範囲】
【請求項１】
水面に設置されるフローティング噴水装置であって、中央部に配置された噴水部の外回りに、噴水部を浮上させる本体フロートが取付けられ、この本体フロートの外周囲に切欠部が形成され、この切欠部に、前記噴水部に水を供給する水中ポンプおよびこの水中ポンプを浮上させるポンプ専用フロートからなるポンプユニットが着脱可能に嵌め込まれて結合されるとともに、前記ポンプユニットの水中ポンプの吐出口と前記噴水部の給水口とがフランジまたはカップリング等で着脱可能に結合されることを特徴とするフローティング噴水装置。
【請求項２】
前記噴水部に複数の噴水用ノズルが設けられ、前記本体フロートに複数の切欠部が形成され、この各切欠部に、前記噴水部の各噴水用ノズルにそれぞれ水を供給する水中ポンプおよびこの水中ポンプを浮上させるポンプ専用フロートからなるポンプユニットがそれぞれ着脱可能に嵌め込まれて結合されるとともに、前記各ポンプユニットの水中ポンプの吐出口と前記噴水部の給水口とがフランジまたはカップリング等でそれぞれ着脱可能に結合されることを特徴とする請求項１に記載のフローティング噴水装置。
【発明の詳細な説明】
【０００１】
【発明の属する技術分野】
本発明はフローティング噴水装置（以下、単に噴水装置という）に関する。さらに詳しくは、噴水とともに、水面下の浅い層を水循環して富栄養化に伴うアオコの繁殖などを低下させるために、ダム貯水池や溜池の湖沼または公園の池などの水面に設置される噴水装置に関する。
【０００２】
【従来の技術】
従来より、ダム貯水池などに用いられる噴水装置としては、たとえば図３に示すように、中央部に配置された噴水部１００と、該噴水部１００から水面下に配置され、該噴水部１００に水を供給する水中ポンプと、前記噴水部１００および水中ポンプを浮上させる本体フロート１０１とからなるものがある。前記噴水部１００と水中ポンプは、同一の水槽内に収納されており、通常前記水中ポンプは、噴水部１００から真上噴水と放射平形噴水の組合せを行なわせるため、前記水槽内に２台または３台設置されている。また、前記噴水部１００と水中ポンプは、バルブや集水槽、ヘッダ管などを介して配管接続されている。
【０００３】
【発明が解決しようとする課題】
しかしながら、前記噴水装置における水中ポンプの定期点検は、水槽の上部から狭いスペースを通して水中ポンプを取り出すか、またはある程度上部の配管をバラして水中ポンプを取り出して行なわれている。かかる定期点検のための水中ポンプの取出し作業は、フロート上で行なわれているため、滑りやすいだけでなく作業床が揺れるため、作業時間が掛かり過ぎて作業性がわるいという問題がある。
【０００４】
また、作業性を少しでもよくするために岸近くでメンテナンスをしようとするばあい、噴水装置を湖底などに固定しているアンカーを取りはずしたうえで当該噴水装置を湖岸に曳航する必要があり、作業が大がかりであり大変である。
【０００５】
さらに、いずれのばあいもメンテナンス作業中は噴水を休止する必要があった。
【０００６】
本発明は、前述した事情に鑑み、メンテナンスの作業性を向上させるとともに、メンテナンス時における噴水の休止を最小限にすることができる噴水装置を提供することを目的とする。
【０００７】
【課題を解決するための手段】
本発明の噴水装置は、水面に設置されるフローティング噴水装置であって、中央部に配置された噴水部の外回りに、噴水部を浮上させる本体フロートが取付けられ、この本体フロートの外周囲に切欠部が形成され、この切欠部に、前記噴水部に水を供給する水中ポンプおよびこの水中ポンプを浮上させるポンプ専用フロートからなるポンプユニットが着脱可能に嵌め込まれて結合されるとともに、前記ポンプユニットの水中ポンプの吐出口と前記噴水部の給水口とがフランジまたはカップリング等で着脱可能に結合されることを特徴としている。
【０００８】
前記噴水部に複数の噴水ノズルが設けられている場合には、前記本体フロートに複数の切欠部が形成され、この各切欠部に、前記噴水部の各噴水用ノズルにそれぞれ水を供給する水中ポンプおよびこの水中ポンプを浮上させるポンプ専用フロートからなるポンプユニットがそれぞれ着脱可能に嵌め込まれて結合されるとともに、前記各ポンプユニットの水中ポンプの吐出口と前記噴水部の給水口とがフランジまたはカップリング等でそれぞれ着脱可能に結合される構成とすることができる。
【０００９】
【発明の実施の形態】
以下、添付図面に基づいて本発明の噴水装置を説明する。
【００１０】
図１は本発明の噴水装置の一実施例を示す平面図、図２は図１におけるＩ−Ｉ断面の切欠図である。
【００１１】
図１〜２に示すように、噴水装置１は、噴水部２にポンプユニット３が着脱自在に備え付けられるように構成されており、４は噴水部２とポンプユニット３、および後述する本体フロート５を保護するための上蓋である。
【００１２】
噴水装置１は、中央部に配置された噴水部２と、該噴水部２を浮上させる本体フロート５、前記噴水部２に着脱自在に備え付けられたポンプユニット３とから構成されており、前記本体フロート５とポンプユニット３はリング形状を呈している。前記噴水部２は、本体フレーム６の内壁にアングルなどの通常の支持部材により取り付けられており、前記本体フロート５は、本体フレーム６の外壁に前記噴水部２と同じ支持部材により取り付けられている。また、前記噴水部２は、先端に真上噴水させるための噴射ノズル（噴水用ノズル）７を有する給水管８と、該給水管８の外周部に配設され、放射変形噴水をさせるための複数の放射ノズル（噴水用ノズル）９を有する内側ヘッダ１０および外側ヘッダ１１とから構成されている。なお、本実施例では、前記本体フロート５とポンプユニット３の組み合わせは円環状を呈しているが、本発明においては、これに限定されるものではなく、たとえば直方形形状などの多角形を呈するようにしてもよい。また前記噴水部２は、給水管８、内側ヘッダ１０および外側ヘッダ１１から構成されているが、本発明においては、これに限定されるものではなく、噴水の形態に応じて、たとえば給水管だけとすることができる。または給水管および内側ヘッダだけとすることもできる。
【００１３】
前記ポンプユニット３は、上下２段重ねにされており、下段に配置されたポンプ用水槽１２に収納され、前記噴水部２に水を供給する水中ポンプ１３と、上段に配置された、前記水中ポンプ１３を浮上させるポンプ専用フロート１４とから構成されている。本実施例では、前記噴水部２が、給水管８、内側ヘッダ１０および外側ヘッダ１１から構成されているため、３台のポンプユニット３が、前記本体フロート５間の切欠部１５に嵌め込むようにされている。前記ポンプ用水槽１２は、水中の大きな浮遊物を濾過し、水中ポンプ１３に水を供給するために、多数の細孔１２ａが形成されている。前記水中ポンプ１３としては、タービンポンプ、うず巻ポンプまたは多段うず巻ポンプなどを用いることができる。
【００１４】
前記噴水部２とポンプユニット３の結合は、噴水部４における給水管８、内側ヘッダ１０および外側ヘッダ１１のそれぞれの給水口のフランジ１６と水中ポンプ１３から延長された給水管の吐出口のフランジ１７を結合するように行なわれている。前記噴水部２の給水口のフランジ１６とポンプユニット３の吐出口のフランジ１７との結合を離脱し、そしてポンプユニット３を噴水部２から分割して、たとえば護岸近くまで曳航するばあい、前記噴水部２のフランジ１６には、メクラ板を取り付けるようにする。また前記本体フロート５とポンプユニット３の結合は、フロート５の上部で適当な支持材を介してボルトによりなされている。なお、本実施例では、噴水部２とポンプユニット３の結合は、フランジ１６，１７によりなされているが、本発明においては、これに限定されるものではなく、たとえばカップリング、フレキシブルホースなどによる差し込み結合とか塩ビ配管などでのボンドによる結合、ネジによる固定などとすることができる。
【００１５】
前記本体フロート５およびポンプ専用フロート１４としては、噴水部２、ポンプユニット３の全体自重、噴水時の反力、保守作業員の荷重、波浪、流木などの衝撃を受けても安定した浮力がえられる浮き体であれば、とくに限定されるものではなく、たとえば発泡スチロールや発泡ウレタンなどを充填したものとすることができる。
【００１６】
なお、本発明の噴水装置は、夜間用の水中ライトを前記本体フレーム６内に配置したり、または水温低下による凍結を防ぐためにヒータを配置したりすることもできる。
【００１７】
【発明の効果】
以上説明したとおり、本発明によれば、ポンプユニットを噴水部から着脱自在になるようにしたので、水中ポンプの保守点検は、前記ポンプユニットを噴水部から分割して護岸まで曳航したのち、作業性のよい陸地で行なうことができる。その結果、点検作業が安全になる。また本体フロート上での作業は、ポンプユニットの着脱作業だけであるため、作業性が向上し、経済的である。さらに、噴水部の複数の噴水ノズルに水をそれぞれ供給するポンプユニットを設けている場合、１台のポンプユニットの部品交換が必要な場合には、そのまま工場へ持ち帰ることができるとともに、他のポンプユニットを元の位置に戻して噴水を続行させることができる。
【図面の簡単な説明】
【図１】  本発明の噴水装置の一実施例を示す平面図である。
【図２】  図１におけるＩ−Ｉ断面の切欠図である。
【図３】  従来の噴水装置の一例を示す説明図である。
【符号の説明】
１  噴水装置
２  噴水部
３  ポンプユニット
４  上蓋
５  本体フロート
６  本体フレーム
７  噴射ノズル
８  給水管
９  放射ノズル
１０  内側ヘッダ
１１  外側ヘッダ
１２  ポンプ用水槽
１３  水中ポンプ
１４  ポンプ専用フロート
１５  切欠部
１６、１７  フランジ
【図１】
0003732285.tif 000002
【図２】
0003732285.tif 000003
【図３】
0003732285.tif 000004